(57)【要約】【課題】  制御手段（例えば、メモリコントローラユニット）を装備しているものに、一般的なパワーシート用スイッチ装置を組付け可能とすることにより、安価な構造の組み合わせを提供できるようにする。【解決手段】  電動力によって駆動される車両用シート５の側部に設けたサイド部材８に取り付けられる操作装置であって、前記シート５の駆動操作を行うスイッチ手段２と、該スイッチ手段２の操作及び前記シート５の作動に関する制御を行う制御手段１とを備えた車両用シートの操作装置において、前記スイッチ手段２のみを単独で用いる第１の使用形態と、前記スイッチ手段２と前記制御手段１とを電気的及び形体的に一体化した状態で用いる第２の使用形態との間において使用形態を選択可能として、第１の使用形態と第２の使用形態とで操作部等を共通化できるようにしている。【選択図】        図１
2011126475.tif 000002
【特許請求の範囲】
【請求項１】
電動力によって駆動される車両用シートの側部に設けたサイド部材に取り付けられる操作装置であって、
前記シートの駆動操作を行うスイッチ手段と、該スイッチ手段の操作及び前記シートの作動に関する制御を行う制御手段とを備え、
前記スイッチ手段のみを単独で用いる第１の使用形態と、前記スイッチ手段と前記制御手段とを電気的及び形体的に一体化した状態で用いる第２の使用形態との間において使用形態を選択可能としたことを特徴とする車両用シートの操作装置。
【発明の詳細な説明】
【技術分野】
【０００１】
本願発明は、車両用シートの操作装置に関し、さらに詳しくは電動力によって駆動される車両用シートの側部に設けたサイド部材に取り付けられる操作装置に関するものである。
【背景技術】
【０００２】
近年、車両用シートの操作装置の一例として、例えば、車両のコンポーネント（例えば、シート）の位置決めシステムに対してメモリ機能を提供することが広く行われるようになっている。このメモリ機能によって、車両のコンポーネント、例えばシートを、各人の所望する好適な位置に調整することが可能となる。このメモリシステムは、通常、所望の位置を少なくとも二人分記憶して、各人による選択を可能としている。例えば、夫と妻とのそれぞれに対して、シート位置決めシステムのメモリ内に、好適なシート位置を個々に記憶させておくことができる。
【０００３】
メモリ機能が広く受け入れられている一方、メモリ機能をオプションとして追加することにより、アッセンブリが複雑なものとなっている。また、メモリ機能を装備していない位置決めシステムを提供することがいまだに必要とされている。何故なら、通常、メモリ機能はオプション装備となっており、多くの位置決めシステムにおいては、メモリ機能が装備されていない状態で、組立を行う必要があるためである。
【０００４】
ところで、この種の操作装置の従来例としては、特許文献１に開示されているように、マニュアルスイッチに隣接してメモリスイッチを設けたものがある。
【先行技術文献】
【特許文献】
【０００５】
【特許文献１】特表平１０−５０７７１５号公報。
【発明の概要】
【発明が解決しようとする課題】
【０００６】
上記特許文献１に開示されている技術の場合、シートの駆動操作を行うスイッチ手段に隣接してスイッチ手段の操作及びシートの作動に関する制御を行う制御手段（例えば、メモリ機能を装備しているメモリスイッチ）を設けているため、制御手段（例えば、メモリスイッチ）を装備しているタイプと、制御手段（例えば、メモリスイッチ）を装備していないタイプとで、別々のスイッチを設定する必要が生じることとなり、コストアップを免れがたいという問題があった。
【０００７】
本願発明は、上記の点に鑑みてなされたもので、制御手段（例えば、メモリコントローラユニット）を装備しているものに、一般的なパワーシート用スイッチ装置を組付け可能とすることにより、安価な構造の組み合わせを提供できるようにすることを目的としている。
【課題を解決するための手段】
【０００８】
本願発明では、上記課題を解決するための第１の手段として、電動力によって駆動される車両用シートの側部に設けたサイド部材に取り付けられる操作装置であって、前記シートの駆動操作を行うスイッチ手段と、該スイッチ手段の操作及び前記シートの作動に関する制御を行う制御手段とを備えた車両用シートの操作装置において、前記スイッチ手段のみを単独で用いる第１の使用形態と、前記スイッチ手段と前記制御手段とを電気的及び形体的に一体化した状態で用いる第２の使用形態との間において使用形態を選択可能としている。
【０００９】
上記のように構成したことにより、シートの駆動操作を行うスイッチ手段のみを単独で用いる第１の使用形態と、スイッチ手段と該スイッチ手段の操作及びシートの作動に関する制御を行う制御手段とを電気的及び形体的に一体化した状態で用いる第２の使用形態とを選択できることとなり、第１の使用形態と第２の使用形態とで操作部等を共通化できることとなり、コストダウンを図ることができる。ここで、前記スイッチ手段によるシートの駆動操作としては、スライド、リクライニング、リフター等の操作が含まれる。また、前記制御手段は、スイッチ手段の複数の操作部が同時に操作された場合に何れの操作も無効となす機能、メモリ位置でシートを位置決めするメモリ機能、その他の機能を有するものとされる。なお、前二者（即ち、スイッチ手段の複数の操作部が同時に操作された場合に何れの操作も無効となす機能とメモリ位置でシートを位置決めするメモリ機能）の場合、スイッチ手段と制御手段とを電気的に接続する必要があるが、後者（その他の機能）の場合、スイッチ手段と制御手段とを電気的に接続する必要はなく、スイッチ手段を制御手段に付設するだけでもよい。
【発明の効果】
【００１０】
本願発明の第１の手段によれば、電動力によって駆動される車両用シートの側部に設けたサイド部材に取り付けられる操作装置であって、前記シートの駆動操作を行うスイッチ手段と、該スイッチ手段の操作及び前記シートの作動に関する制御を行う制御手段とを備えた車両用シートの操作装置において、前記スイッチ手段のみを単独で用いる第１の使用形態と、前記スイッチ手段と前記制御手段とを電気的及び形体的に一体化した状態で用いる第２の使用形態との間において使用形態を選択可能としたことにより、第１の使用形態と第２の使用形態とで操作部等を共通化できることとなり、コストダウンを図ることができるという効果がある。
【図面の簡単な説明】
【００１１】
【図１】本願発明の実施の形態にかかる車両用シートの操作装置の第２の使用形態を示す分解斜視図である。
【図２】本願発明の実施の形態にかかる車両用シートの操作装置の第２の使用形態を示す正面図である。
【図３】本願発明の実施の形態にかかる車両用シートの操作装置の第１の使用形態を示す分解斜視図である。
【図４】本願発明の実施の形態にかかる車両用シートの操作装置の第１の使用形態を示す正面図である。
【発明を実施するための形態】
【００１２】
以下、添付の図面を参照して、本願発明の実施の形態にかかる車両用シートの操作装置について説明する。
【００１３】
この車両用シートの操作装置は、図１に示すように、メモリ機能を装備し且つメモリ機能用操作スイッチ３を具備し、特許請求の範囲における制御手段として作用するメモリコントローラユニット１と、メモリ機能を装備せず且つシート５の位置決めを行うパワーシート用操作スイッチノブ４を具備し、特許請求の範囲におけるスイッチ手段として作用するパワーシート用スイッチ装置２とを備えて構成されており、シート５の座部５ａの側面に固定されるサイド部材８の内面側に取り付けられる。前記メモリコントローラユニット１は、図示しないフロアワイヤハーネスと接続されている。
【００１４】
そして、前記パワーシート用スイッチ装置２におけるパワーシート用操作スイッチノブ４は、シート５の位置決めを行うものであり、シート５の座部５ａの前後方向位置を位置決めするためのスライドスイッチノブ４ａと、シート５の背部５ｂの傾動位置を位置決めするためのリクライニングスイッチノブ４ｂとを略Ｌ字状に配置して構成されている。
【００１５】
一方、前記メモリコントローラユニット１は、前記パワーシート用スイッチ装置２におけるパワーシート用操作スイッチノブ４の操作により位置決めされた複数乗員に最適なシート５の位置を記憶しておくものであり、メモリ機能用操作スイッチ３の操作により、座部５ａに着座した乗員が操作することにより、その乗員に最適なシート５の位置を再現できるようになっている。
【００１６】
前記メモリコントローラユニット１は、略直方体形状とされており、その前面側には、前記パワーシート用スイッチ装置２を着脱可能に取り付けるための凹部６が形成されている。前記凹部６には、前記パワーシート用スイッチ装置２を装着するためのコネクタ７が設けられている。そして、前記パワーシート用スイッチ装置２を前記凹部６に取り付けた状態においては、前記パワーシート用スイッチ装置２のパワーシート用操作スイッチノブ４とメモリコントローラユニット１のメモリ機能用操作スイッチ３とが、車体前後方向に並んだ状態となるようになっている。
【００１７】
前記メモリコントローラユニット１および前記パワーシート用スイッチ装置２は、シート５の側部に取り付けられるサイド部材８に取り付けられる。このサイド部材８は、シート５の座部５ａの側面を覆う構造となっている。このサイド部材８には、前記パワーシート用操作スイッチノブ４を構成するスライドスイッチノブ４ａおよびリクライニングスイッチノブ４ｂを取り付けるための取付軸１２ａ，１２ａ，１２ａおよび１２ｂ，１２ｂが臨む開口部９ａ，９ａ，９ａおよび９ｂ，９ｂと前記メモリ機能用操作スイッチ３が臨む開口部１０とが形成される（図１および図２参照）。なお、前記開口部１０は、サイド部材８においてこの開口部１０を形成すべき位置に予め設けられた区画部１１（図３および図４参照）を切除することにより形成されることとなっている。該区画部１１は、サイド部材８の一部を切除し易い構造（例えば、破断線で囲まれた構造）とすることにより形成される。
【００１８】
つまり、パワーシート用スイッチ装置２のみを単独で使用する第１の使用形態と、メモリコントローラユニット１とパワーシート用スイッチ装置２とを組み合わせた状態での第２の使用形態とを選択することができるようになっているのである。
【００１９】
上記のように構成したことにより、パワーシート用スイッチ装置２のみを使用する第１の使用形態においては、パワーシート用スイッチ装置２のパワーシート用操作スイッチノブ４（具体的には、スライドスイッチノブ４ａおよびリクライニングスイッチノブ４ｂ）を操作することにより、シート５の位置決めが行われる一方、メモリコントローラユニット１にパワーシート用スイッチ装置２を取り付けた第２の使用形態においては、パワーシート用スイッチ装置２のパワーシート用操作スイッチノブ４（具体的には、スライドスイッチノブ４ａおよびリクライニングスイッチノブ４ｂ）を操作することにより、シート５の位置決めが行われるとともに、位置決めされたシート５の位置がメモリコントローラユニット１に記憶されることとなる。従って、メモリ機能を装備していないタイプ（第１の使用形態）とメモリ機能を装備しているタイプ（第２の使用形態）とで操作スイッチ等を共通化できることとなり、コストダウンを図ることができる。しかも、サイド部材８に、メモリコントローラユニット１およびスイッチ装置２を取り付けるとともに、該サイド部材８に、前記パワーシート用操作スイッチノブ４（具体的には、スライドスイッチノブ４ａおよびリクライニングスイッチノブ４ｂ）を取り付けるための取付軸１２ａ，１２ａ，１２ａおよび１２ｂ，１２ｂが臨む開口部９ａ，９ａ，９ａおよび９ｂ，９ｂと前記メモリ機能用操作スイッチ３が臨む開口部１０を形成するための切除可能な区画部１１とを設けたことにより、同一のサイド部材８を、メモリ機能を装備しているタイプとメモリ機能を装備していないタイプとに共用できることとなり、更なるコストダウンに寄与する。
【００２０】
ところで、本実施の形態においては、スイッチ手段としてパワーシート用スイッチ装置を採用しており、スイッチ手段によるシートの駆動操作としては、スライド、リクライニングの二つの操作が採用されているが、スイッチ手段によるシートの駆動操作は、スライド、リクライニング、リフター等の操作を含む。
【００２１】
また、上記実施の形態においては、制御手段として、メモリコントローラユニットを採用しているが、この制御手段として、スイッチ手段の複数の操作部が同時に操作された場合に何れの操作も無効となす機能、メモリ位置でシートを位置決めするメモリ機能、その他の機能を有するものを採用する場合もある。なお、制御手段の機能として、スイッチ手段の複数の操作部が同時に操作された場合に何れの操作も無効となす機能を採用する場合、制御手段内にプログラムとして予め設定されているため、メモリコントローラユニットにはメモリ機能用操作スイッチを設ける必要がないところから、サイド部材にメモリ機能用操作スイッチが臨む開口部を設ける必要はない。また、前二者（即ち、スイッチ手段の複数の操作部が同時に操作された場合に何れの操作も無効となす機能とメモリ位置でシートを位置決めするメモリ機能）の場合、スイッチ手段と制御手段とを電気的に接続する必要があるが、後者（その他の機能）の場合、スイッチ手段と制御手段とを電気的に接続する必要はなく、スイッチ手段を制御手段に付設するだけでもよい。
【００２２】
本願発明は、上記実施の形態に限定されるものではなく、発明の要旨を逸脱しない範囲において適宜設計変更可能なことは勿論である。
【符号の説明】
【００２３】
１は制御手段（メモリコントローラユニット）
２はスイッチ手段（パワーシート用スイッチ装置）
３はメモリ機能用操作スイッチ
４はパワーシート用操作スイッチノブ
４ａはスライドスイッチノブ
４ｂはリクライニングスイッチノブ
５はシート
５ａは座部
５ｂは背部
８はサイド部材
【図１】
2011126475.tif 000003
【図２】
2011126475.tif 000004
【図３】
2011126475.tif 000005
【図４】
2011126475.tif 000006